(57)【要約】【課題】  滑らかで違和感の少ない選局画像への切り替えを可能とするデジタル放送受信装置を提供する。【解決手段】  フレーム間補完されたデジタルストリーム（Ｗｂ）を受信するデジタル放送受信装置（１）において、チャンネル選定部（２、３）はチャンネルの１つを指定してコンテンツ（ＶＳ、ＡＳ）の再生を指示し、コンテンツ再生部（４、６、１１、１７）は指定されたコンテンツ（ＶＳ、ＡＳ）を再生し、コンテンツ出力部（１２、１１、１８、１７）は第１のチャンネルの第１のコンテンツ（ＶＳ（Ｐ））の再生中に第２のチャンネルの第２のコンテンツ（ＶＳ（Ｃ））の再生指示を受けたときに、第２のコンテンツ（ＶＳ（Ｃ））が再生できる迄、再生された第１のコンテンツ（ＶＳ（Ｐ））を出力する。【選択図】  図１
2006148825.tif 000002
【特許請求の範囲】
【請求項１】
複数のチャンネルで提供される複数のコンテンツがフレーム間補完されて構成されたデジタルストリームを受信して、当該複数のコンテンツの１つを選択して再生するデジタル放送受信装置であって、
前記複数のチャンネルの１つを指定して、当該チャンネルで提供されるコンテンツの再生を指示する再生チャンネル指定手段と、
前記再生チャンネル指定手段で指定されたチャンネルのコンテンツを再生するコンテンツ再生手段と、
前記再生されたコンテンツを出力するコンテンツ出力手段とを備え、
第１のチャンネルで提供される第１のコンテンツの再生中に、前記再生チャンネル指定手段による第２のチャンネルで提供される第２のコンテンツの再生の指示を受けたときに、当該第２のコンテンツが再生されて出力できる迄の間、当該再生された第１のコンテンツを出力することを特徴とするデジタル放送受信装置。
【請求項２】
前記再生チャンネル指定手段による再生の指示に基づいて、前記コンテンツ出力手段を制御するコンテンツ出力制御手段をさらに備える、請求項１に記載のデジタル放送受信装置。
【請求項３】
前記再生チャンネル指定手段は、
ユーザによる選局操作を受け付けて、チューナを前記指定されたチャンネルに同調するように制御するチューナ制御手段と、
前記デジタルストリームを受信するデジタル放送受信手段とを備え、
前記コンテンツ再生手段は、
前記受信したデジタルストリームからデジタル信号を復調する信号復調手段と、
前記デジタル信号をデマルチプレックスし、映像ストリームと音声ストリームとに分離するデマルチプレクス手段と、
前記映像ストリームから映像データを復号する映像データ復号手段と、
前記映像ストリームのピクチャを解析する映像ストリーム解析手段と、
前記復号された映像データを蓄積する映像データ蓄積手段とを備え、
前記コンテンツ出力手段は、前記映像データ蓄積手段から前記映像データを出力させる映像出力制御手段とを備え、当該映像出力制御手段は、前記チューナ制御手段による指定が前記第１のチャンネルから前記第２のチャンネルに変更された場合に、少なくとも当該第２のチャンネルで提供される映像ストリームにおける先頭ピクチャを受信する迄は前記映像データ蓄積手段に蓄積された前記第１のチャンネルで提供される映像ストリームの映像データを出力し、当該先頭ピクチャを受信した後に前記第２のチャンネルで提供される映像ストリームの映像データを出力することを特徴とする、請求項１に記載のデジタル放送受信装置。
【請求項４】
前記映像出力制御手段が前記第２のチャンネルで提供される映像ストリームを出力させるのは、当該映像ストリームに対して定められいる再生指定時刻であることを特徴とする、請求項３に記載のデジタル放送受信装置。
【請求項５】
前記コンテンツ出力手段は、前記チューナ制御手段による指定が前記第１のチャンネルから前記第２のチャンネルに変更された場合に、前記映像データ蓄積手段に再生画像単位の前記第１のチャンネルで供給される映像ストリームが蓄積されている場合には、当該蓄積されている映像ストリームを出力させることを特徴とする、請求項３に記載のデジタル放送受信装置。
【請求項６】
当該映像出力制御手段は、前記映像データ蓄積手段に蓄積された前記第１のチャンネルで提供される映像に画像処理を施して出力することを特徴とする、請求項３に記載のデジタル放送受信装置。
【請求項７】
前記コンテンツ再生手段は、さらに、
前記音声ストリームから音声データを復号する音声データ復号手段と、
前記復号された音声データを蓄積する音声データ蓄積手段とを備え、
前記コンテンツ出力手段は、さらに、前記音声データ蓄積手段から前記音声データを出力させる音声出力制御手段とを備える、請求項３に記載のデジタル放送受信装置。
【請求項８】
当該音声出力制御手段は、前記音声データに信号処理を施して出力することを特徴とする、請求項７に記載のデジタル放送受信装置。
【請求項９】
前記画像処理は、ユーザによる選局操作を受け付けたことを示すメッセージ画面を合成することを特徴とする、請求項６に記載のデジタル放送受信装置。
【請求項１０】
前記画像処理は、画像を徐々に変化するように加工処理することを特徴とする、請求項６に記載のデジタル放送受信装置。
【請求項１１】
前記加工処理は、画像の透過度を徐々に上げることを特徴とする請求項６に記載のデジタル放送受信装置。
【請求項１２】
前記加工処理は、画像の透過度を徐々に下げることを特徴とする請求項６に記載のデジタル放送受信装置。
【請求項１３】
前記加工処理は、画像のサイズを徐々に小さくすることを特徴とする請求項６に記載のデジタル放送受信装置。
【請求項１４】
前記加工処理は、画像のサイズを徐々に大きくすることを特徴とする請求項６に記載のデジタル放送受信装置。
【請求項１５】
デジタル放送受信装置において、出力する映像ストリームを決定する方法であって、
ユーザによる選局操作を受け付け、出力するサービス内容を変更するサービス切り替えステップと、
新しく選択された映像ストリームにおける先頭ピクチャを受信する迄、映像出力バッファに蓄積されたサービス内容が変更される前の映像ストリームに画像処理を施して出力する蓄積データ出力ステップと、
前記先頭ピクチャを受信した後に、新しく選択された映像ストリームを出力する新規データ出力ステップとを備える方法。
【請求項１６】
複数のチャンネルで提供される複数のコンテンツがフレーム間補完されて構成されたデジタルストリームを受信して、当該複数のコンテンツの１つを選択して再生するデジタル放送受信装置において用いられる受信コンテンツの表示方法であって、
前記複数のチャンネルの１つを指定して、当該チャンネルで提供されるコンテンツの再生を指示する再生チャンネル指定ステップと、
前記再生チャンネル指定手段で指定されたチャンネルのコンテンツを再生するコンテンツ再生ステップと、
前記再生されたコンテンツを出力するコンテンツ出力ステップと、
第１のチャンネルで提供される第１のコンテンツの再生中に、前記再生チャンネル指定手段による第２のチャンネルで提供される第２のコンテンツの再生の指示を受けたときに、当該第２のコンテンツが再生されて出力できる迄の間、当該再生された第１のコンテンツを出力する出力制御ステップとを備える受信コンテンツ表示方法。
【発明の詳細な説明】
【技術分野】
【０００１】
本発明は、フレーム間補完されたデジタル放送受信装置、および選局方法に関し、詳述すれば、デジタル放送を受信中に視聴チャンネルを変更する際の映像音声の出力方法に関する。
【背景技術】
【０００２】
映像、音声、テキスト、および管理情報などから成るコンテンツをデジタルストリームとして提供するデジタル放送が順次実用化されている。例えば、ＢＳデジタル放送およびＣＳデジタル放送に加え、地上デジタル放送が開始されている。また、携帯端末で受信するための専用放送として帯域が限定された１セグメント放送も近々開始される。これらのデジタル放送は、伝送方式として映像、音声、およびデータ（含むテキスト、管理情報）などのコンテンツを一つのストリームとして多重化して伝送するＭＰＥＧ２−ＴＳ（Ｔｒａｎｓｐｏｒｔ  Ｓｔｒｅａｍ）方式が用いられている。
【０００３】
多重化される映像データの符号化には、ＭＰＥＧ２、Ｈ．２６４などに代表される動き補償フレーム間予測に基づきフレーム間補完を行う符号化方式が利用されている。動き補償フレーム間予測とは、時間軸方向のフレーム画像間において、現在の画面（以下、「現画面」）に関する情報と、被写体の動きを考慮した次の画面（以下、「次画面」）に関する予測画面との差分のみを用いて次画面の原画像に近い画像を再現することを可能とする圧縮方法である。つまり、現画面の画像を予測画面との差分で補完して、次画面の画像を構成する。このようにして、映像データが圧縮エンコードされる。
【０００４】
動き補償フレーム間予測によって圧縮された映像データをデコードして画像を再現するためには、必ず前後の画面とは関係なくその画面内の情報だけで独立して符号化されたデータである先頭ピクチャを必要とする。それゆえに、この独立して符号化された先頭ピクチャは、エンコードされた映像データに一定の期間ごとに挿入される。先頭ピクチャとしては、Ｉｎｔｒａ−Ｐｉｃｔｕｒｅ（以下、「Ｉピクチャ」）が一般である。
【０００５】
しかしながら、Ｈ．２６４においては、状態を完全にリセットするためには通常のＩピクチャでは不十分であり、ＩＤＲ（Ｉｎｓｔａｎｔａｎｅｏｕｓ  Ｄｅｃｏｄｉｎｇ  Ｒｅｆｒｅｓｈ）ピクチャを用いる必要がある。なお、ＩＤＲピクチャは、Ｉピクチャと比べて、前画面との関連を絶つことにより、必要とする伝送リーソースの低減を図っている。しかしながら、ＩＤＲピクチャもフレーム間補完された画像の再生に必要であることは、Ｉピクチャと変わりはない。なお、本明細書においては、先頭ピクチャとして、Ｉピクチャを例に説明するが、上述のＭＰＥＧ２やＨ．２６４を含むフレーム間補完された映像信号において、先頭ピクチャとして機能するものであれば、ＩピクチャやＩＤＲピクチャと同様の状態が発生する。
【０００６】
デジタル放送受信装置においては、受信したＭＰＥＧ２−ＴＳ多重ストリームをデマルチプレックスし、ユーザが選択したサービスに関する符号化された映像および音声をデコードして出力する。しかし、ユーザが所望する視聴チャンネルを選局したとき、映像データに関しては、Ｉピクチャを受信する迄は出力することができない。そのため、一定期間ブラックアウト、あるいは「しばらくお待ちください」などの断りを示す表示によるブランク期間が発生すると言う問題がある。このブランク期間は、視聴中のチャンネルを別のチャンネルに切り替えた場合にも同様に発生する。この意味において、本明細書においては、特に断らない限り、チャンネル切り替えも選局に含まれるものとする。
【０００７】
この問題を解決するため、Ｉピクチャを受信して第１出力バッファに映像データが蓄積される迄の期間、もしくは、それよりも長い一定期間、第２出力バッファに予め保持されている広告情報や番組情報などをダミーとして画像出力することでブランク期間をなくす方法（特許文献１）がある。このように、ユーザが選局したチャンネルより表示される画像を「選局画像」と呼び、ブランク期間中に選局画像の代わりにダミー出力される画像を「ダミー画像」と呼ぶものとする。そして、選局画像およびダミー画像にそれぞれ対応する映像データを「選局画像データ」および「ダミー画像データ」と呼ぶ。
【０００８】
また、Ｉピクチャを受信して第１出力バッファに映像データが蓄積される迄の期間、第２出力バッファに予め保持されている広告情報等のダミー画像を出力すると共に、第１出力バッファの映像データを出力する迄のつなぎ方として、当該ダミー画像に対してズーム、およびワイプ等のビジュアルトランジション調整を施すことで、ダミー画像からユーザの所望するチャンネルでの出力画像に滑らかで継ぎ目のない移行を行う方法（特許文献２）もある。
【特許文献１】特開２００２−５１３２５号公報
【特許文献２】特表２００３−５１２７８１号公報
【発明の開示】
【発明が解決しようとする課題】
【０００９】
しかしながら、上述の特許文献１および特許文献２の方法では、遅くともユーザが選局を開始する迄に、第２出力バッファにダミー画像データを予め保持しておく必要がある。さらに、ダミー画像データとして、広告情報等をデータ放送から取得する場合には、放送局側がダミー画像データ用のコンテンツを用意しておかなければならず、放送局側に負担を強いることになる。また、データ放送の代わりに、ネットワークを利用してダミー画像データを取得することも考えられるが、この場合には接続環境の構築や取得作業等の負担をユーザに強いることになる。
【００１０】
さらに、第２出力バッファに保持されるダミー画像データを常に新しいものに置き換える提案がされていないため、選局のたびに同じ内容のダミー画像（広告情報等）が表示されることになり、ユーザにとって不快感が増すことになる。つまり、特許文献１の方法においては、表示されるダミー画像は、毎回同一であると共に、特に静止画である場合には、ユーザは見飽きてしまう。そのために、所望するチャンネルの画像が表示する迄、そのようなダミー画像を見守ることは、精神的に非常に難しく、所望チャンネルの画像の表示が開始する時に、脇見をしてしまいがちになる。結果、所望チャンネルの画像を見落とすことになる。
【００１１】
また、選局時に、毎回、所望画像とは関係のない同一のダミー画像を強制的に見せられることにより、ユーザはダミー画像の表示が所望チャンネルの画像像が表示される迄の適正な処理中であることを意味しているのか、ユーザの操作間違いによる人為的あるいは、受信装置の故障などによるハード的エラーによる誤動作を意味しているのか不安になる。この不安は、ダミー画像が静止画である場合に特に大きい。
【００１２】
なお、特許文献２の方法においては、ダミー画像に対してズーム、およびワイプ等のビジュアルトランジション調整を施して変化させることにより、ダミー画像の同一性を緩和している。しかしながら、同一のダミー画像データに対して、所定の処理が施されるので、ダミー画像も所定の変化をするにすぎない。やがて、ユーザはそのようなダミー画像の所定の変化にも飽きてしまう。結果として、やはり、上述の問題を解消することはできない。
【００１３】
上述の問題は、基本的に、選局画像が表示される迄のブランク期間に、それ迄に表示されていた画面と無関係な画像が表示されることによる、ユーザの意識の断続性に起因している。つまり、ダミー画像は選局によって表示されるものでは有るが、ユーザからみれば、ダミー画像とユーザによる選局動作の関係は極めて希薄である。同様に、ダミー画像と選局画像との関係も希薄である。つまり、選局動作の前後に表示されるダミー画像と、選局動作との関係は、相互の関係よりも一層希薄である。つまり、選局動作後の選局画像が表示される迄のブランク時間は、画像表示の観点から言えばダミー画像でシームレスに代償されているが、ユーザの選局意識の観点からはダミー画像によって分断されている。結果、ユーザはブランク期間中のダミー画像に容易に飽きてしまうと共に、同一内容のダミー画像が繰り返し表示されることに不快感を覚える。そして、ダミー画像の表示中の動作に対して不信感を覚える。
【００１４】
よって、本発明は、Ｉピクチャを受信して第１出力バッファに映像データが蓄積される迄の期間、選局動作との関係がより濃厚なデータに基づいてダミー画像データを生成して、当該ダミー画像データに基づくダミー画像をブランク期間中に表示することによって、滑らかで違和感の少ない選局画像への切り替えを可能とするデジタル放送受信装置を提供することを目的とする。
【課題を解決するための手段】
【００１５】
本発明は、複数のチャンネルで提供される複数のコンテンツがフレーム間補完されて構成されたデジタルストリームを受信して、当該複数のコンテンツの１つを選択して再生するデジタル放送受信装置であって、
前記複数のチャンネルの１つを指定して、当該チャンネルで提供されるコンテンツの再生を指示する再生チャンネル指定手段と、
前記再生チャンネル指定手段で指定されたチャンネルのコンテンツを再生するコンテンツ再生手段と、
前記再生されたコンテンツを出力するコンテンツ出力手段とを備え、
第１のチャンネルで提供される第１のコンテンツの再生中に、前記再生チャンネル指定手段による第２のチャンネルで提供される第２のコンテンツの再生の指示を受けたときに、当該第２のコンテンツが再生されて出力できる迄の間、当該再生された第１のコンテンツを出力する。
【発明の効果】
【００１６】
本発明に係るデジタル放送受信装置においては、ユーザによるチャンネル変更指示を受け付けた際に、チャンネル変更前のサービスに関する映像に選局中を示すメッセージを含ませて表示し、チャンネル変更後のサービスに関する映像の最初のＩピクチャを取得次第、表示をチャンネル変更後のサービスに関する映像に切り替えることにより、ブランク期間をなくすと共に、滑らかで違和感のない切り替えを行える。
【発明を実施するための最良の形態】
【００１７】
以下に、図面を参照して、本発明の実施の形態に係るデジタル放送受信装置について説明する。
図１に示すように、本発明の実施の形態に係るデジタル放送受信装置１は、チューナ制御器２、デジタルチューナ５、デマルチプレクサ６、映像制御器１１、映像制御命令器１２、音声制御器１７、および音声制御命令器１８を含む。チューナ制御器２は、チャンネルボタン、カーソルキー入力などのユーザによる選局操作を受け付け、該当するチャンネルに関するサービスを受信するための制御を行う。なお、本明細書において、サービスとは、上述のデジタル放送やネットワークを介して受信される、コンテンツをデジタルストリームとして提供されるコンテンツを指しており、より具体的にはフレーム間補完されたデジタル放送において異なるチャンネルで放送される番組のことを言う。
【００１８】
デジタルチューナ５は、デジタル放送受信器３および信号復調器４を含む。デジタル放送受信器３は放送波Ｗｂを受信する。そして、信号復調器４は、受信した放送波Ｗｂからデジタル信号を復調して、ＭＰＥＧ２−ＴＳ多重ストリームＭＳを取得する。つまり、デジタルチューナ５は、受信した放送波Ｗｂから生成したＭＰＥＧ２−ＴＳ多重ストリームＭＳをデマルチプレクサ６に出力する。
【００１９】
デマルチプレクサ６は、デジタルチューナ５から出力されるＭＰＥＧ２−ＴＳ多重ストリームＭＳをデマルチプレックスして、映像ストリームＶＳと音声ストリームＡＳに分離する。なお、映像ストリームＶＳは映像制御器１１に、音声ストリームＡＳは音声制御器１７に出力される。
【００２０】
映像制御器１１は、映像制御命令器１２の指示に基づいて、映像ストリームＶＳから映像信号Ｓｖを生成する。具体的には、映像制御器１１は、映像ストリーム解析器７、映像復号器８、第１の映像バッファ９ａ、第２の映像バッファ９ｂ、および映像出力制御器１０を含む。図面においては、紙面の都合上、第１の映像バッファ９ａおよび第２の映像バッファ９ｂは共に、「映像バッファ９」と表示されている。
【００２１】
映像ストリーム解析器７は、デマルチプレクサ６から出力される映像ストリームＶＳを解析して、そのピクチャのタイプを解析する。第１の映像バッファ９ａは、映像ストリーム解析器７から出力される映像ストリームＶＳを一時的に保存しておき、映像制御命令器１２の指示に基づき、当該保存された映像ストリームＶＳを映像復号器８に出力する。映像復号器８は、第１の映像バッファ９ａから入力される映像ストリームＶＳを復号化して元の映像を表す映像データを生成する。
【００２２】
なお、映像ストリーム解析器７は、ユーザによるチャンネル切り換えの後にデマルチプレクサ６から入力される映像ストリームＶＳがＰピクチャの場合には、当該映像ストリームＶＳを破棄し、第１の映像バッファ９ａに保持されている映像ストリームＶＳを映像復号器８に復号させる。一方、映像ストリーム解析器７は、ユーザによるチャンネル切り替えの後に、映像ストリームＶＳの最初のＩピクチャを取得した場合には、第１の映像バッファ９ａに保持されている映像ストリームＶＳをクリアさせると共に、当該取得されたＩピクチャ以降の映像ストリームＶＳを第１の映像バッファ９ａに保持させる。
【００２３】
そして、映像復号器８は、映像バッファ９に保持されている映像ストリームＶＳから画像を再現するのに必要な画像単位（以降、「再生画像単位ＵＩ」）を復号化して映像データを生成して出力する。なお、再生画像単位ＵＩは、静止画を表す１つＩピクチャ、および動画を表すのに必要な複数のＩピクチャ或いはＩピクチャに続く非Ｉピクチャの数に相当する。第２の映像バッファ９ｂは、映像復号器８から出力される映像データを一時的に保存しておき、映像制御命令器１２の指示に基づき、当該保存された映像データを映像出力制御器１０に出力する。このように、映像復号器８の前後に、第１の映像バッファ９ａおよび第２の映像バッファ９ｂを備えることにより、映像信号Ｓｖに対する処理のタイミングの制限を緩和できる。第１の映像バッファ９ａおよび第２の映像バッファ９ｂを映像バッファ９と総称する。
【００２４】
本実施の形態においては、映像バッファ９として、第１の映像バッファ９ａおよび第２の映像バッファ９ｂを同時に備えているが、処理タイミングに余裕がある場合には、どちらか一方を備えるだけで良い。なお、映像バッファ９の必要容量を低減するためには、第２の映像バッファ９ｂよりの復号化前の映像ストリームＶＳの蓄積に供される第１の映像バッファ９ａだけを備えることが望ましい。
【００２５】
映像出力制御器１０は、上述のようにして復号化された映像データに対して拡大・縮小、フェードイン・フェードアウト、変形、変色、およびモーフィングなどに代表される種々の映像処理を施して映像信号Ｓｖを生成する。なお、この映像信号Ｓｖがダミー画像としてディスプレイ等で表示される。
【００２６】
図２に示すタイミングチャートを参照して、本発明におけるダミー画像の表示について詳しく説明する。同図において、縦軸の符号Ｓｖは映像ストリームＶＳを示し、横軸は時間の経過、つまり時刻ｔを表している。なお、時刻ｔは左から右に経過するものとする。時間軸に対して平行に延在している太線は、時刻ｔおいて、映像出力制御器１０から出力される映像信号Ｓｖの内容を示している。そして、時刻Ｔ１にユーザがチャンネル切り替えを指示し、時刻Ｔ２に切り替えた新しいチャンネルから映像ストリームＶＳ（コンテンツデータ）の最初のＩピクチャが受信されるものとする。
【００２７】
なお、説明の便宜上、ユーザがチャンネル切り替え指示をする迄に受信されて表示されていた画像を「切り替え前画像ＩＢ」と呼び、そのデータを「切り替え前画像データ」と呼ぶ。つまり、本発明においては、ユーザによるチャンネル切り替え指示の前には切り替え前画像ＩＢが表示され、チャンネル切り替え指示の直後にはダミー画像ＩＤが表示され、やがて選局画像ＩＳが表示される。
【００２８】
時刻ＴＰ２は、時刻Ｔ２に最初のＩピクチャが受信された再生画像単位ＵＩが再生される再生指定時刻を表している。再生指定時刻について、簡単に説明する。放送波Ｗｂで搬送されるＭＰＥＧ２−ＴＳ多重ストリームＭＳに含まれるストリームには、含まれるコンテンツの再生画像単位ＵＩを再生して提示すべき時刻（提示時刻）を規定するタイムスタンプが付与されている。このタイムスタンプを、本明細書においては再生指定時刻ＴＰと呼ぶ。放送局はＭＰＥＧ２−ＴＳ多重ストリームＭＳを当該タイムスタンプに基づく再生指定時刻ＴＰに対して、所定の予告期間△Ｐをもって送信する。
【００２９】
つまり、時刻Ｔに、最初のＩピクチャを受信する再生画像単位ＵＩの提示時刻ＴＰは、時刻Ｔに予告期間△Ｐを加算した時刻（Ｔ＋△Ｐ）である。よって、時刻Ｔ２に最初のＩピクチャが受信される再生画像単位ＵＩは、時刻Ｔ２から予告期間△Ｐだけ経過した再生指定時刻ＴＰ２に再生される。なお、予告期間△Ｐは、通常０．５秒から１秒程度である。
【００３０】
先ず、時刻Ｔ１における切り替え前画像ＩＢについて考える。時刻Ｔ１における映像ストリームＶＳの状態は、既に切り替え前画像ＩＢの再生画像単位ＵＩが映像バッファ９に保持されている。詳しくは、第１の映像バッファ９ａには、復号される前の再生画像単位ＵＩの映像ストリームＶＳが保持され、第２の映像バッファ９ｂには復号された再生画像単位ＵＩの映像データが保持されている。なお、像バッファ９は第１の映像バッファ９ａおよび第２の映像バッファ９ｂの１つだけでも良いことは、既に述べた通りである。
【００３１】
映像バッファ９に保持されている再生画像単位ＵＩの映像ストリームＶＳである切り替え前画像ＩＢがダミー画像ＩＤとして利用される。つまり、映像復号器８は切り替え前画像ＩＢの映像ストリームＶＳを復号して切り替え前画像データを生成する。そして、映像出力制御器１０はこの切り替え前画像データに対して、所定の画像処理を施して、ダミー画像ＩＤを表す映像信号Ｓｖを生成する。つまり、時刻Ｔ１から再生指定時刻ＴＰ２迄、切り替え前画像ＩＢそのもの或いは切り替え前画像ＩＢに基づいて生成される画像がダミー画像ＩＤとして用いられる。
【００３２】
図２において、符号ＩＢによって、時刻Ｔ１迄は切り替え前画像ＩＢが表示されることが示されている。符号ＩＤ（ＩＢ）によって、時刻Ｔ１から再生指定時刻ＴＰ２迄は、時刻Ｔ１の時点で既に取得されていた切り替え前画像ＩＢ自身、または当該切り替え前画像ＩＢに基づいて生成されるダミー画像ＩＤが表示されることが示されている。符号ＩＳによって、再生指定時刻ＴＰ２以降は選局画像ＩＳが表示されることが示されている。
【００３３】
なお、予告期間△Ｐが時刻Ｔ１から再生指定時刻ＴＰ２迄の期間（ＴＰ２−Ｔ１）に比べて短い場合には、切り替え前画像ＩＢをそのままダミー画像ＩＤとして再生指定時刻ＴＰ２迄は表示できずにブランク期間が生じてしまう。これを防ぐ為に、映像出力制御器１０を用いて、切り替え前画像ＩＢをスロー再生、繰り返し再生、或いは繰り返し再生であっても繰り返す度に色などを変化させる等の処理を実施する。
【００３４】
なお、本例においては、動画の切り替え前画像ＩＢをダミー画像ＩＤとして利用するのでなく、切り替え前画像ＩＢの一部を静止画としてダミー画像ＩＤとして利用する場合には、チャンネル切り替え指示の行われた時刻Ｔ１の直後に、静止画の切り替え前画像ＩＢに画像処理を施すことによってダミー画像ＩＤとして表示できる。
【００３５】
上述のように、チャンネル切り替え指示から選局画像ＩＳが表示される迄の切り替え期間中にはブランク期間を生じさせることなく、前の切り替え前画像ＩＢに基づいて生成さるダミー画像ＩＤがダイナミックに変化して表示される。結果、切り替え前画像ＩＢから選局画像ＩＳへ滑らかで違和感の少ない切り替えを可能としている。
【００３６】
図１に戻って、音声制御器１７は、音声制御命令器１８の指示に基づいて、音声ストリームＡＳから音声信号Ｓａを生成する。具体的には、音声制御器１７は、音声ストリーム解析器１３、音声復号器１４、音声バッファ１５、および音声出力制御器１６を含む。音声ストリーム解析器１３は、デマルチプレクサ６から出力される音声ストリームＡＳを解析する。音声バッファ１５は、音声ストリーム解析器１３で解析された音声ストリームＡＳを一時保存する。音声復号器１４は、音声バッファ１５から主Ｔりょくされる音声ストリームＡＳを復号化して、音声データを生成する。音声出力制御器１６は、復号化された音声データにフェードイン・フェードアウトなどの音声処理を行い、音声信号Ｓａとして、ヘッドフォン、あるいは内蔵スピーカ等に出力する。
【００３７】
デジタル放送受信装置１は、ユーザによるチャンネル変更指示を受け付けた場合においても、チャンネル変更指示を受け付けたことを伝えられるような形で映像バッファ９および音声バッファ１５に保持されたチャンネル変更前のサービスに関する映像ストリームＶＳおよび音声ストリームＡＳの出力を停止することなく、映像復号器８および音声復号器１４のそれぞれに出力し続ける。そして、チャンネル変更後のサービスに関する映像の最初のＩピクチャおよび音声が、映像バッファ９および音声バッファ１５のそれぞれに蓄積され次第、映像制御器１１は、映像バッファ９および音声バッファ１５から映像復号器８および音声復号器１４のそれぞれに対するチャンネル変更前のサービスに関する映像ストリームＶＳ（切り替え前画像ＩＢ）および音声ストリームＡＳの出力を停止させる。
【００３８】
上述のサービスとは、上述のデジタル放送やネットワークを介して受信される、コンテンツをデジタルストリームとして提供されるコンテンツの提示を指しており、より具体的にはフレーム間補完されたデジタル放送において異なるチャンネルで放送される番組の表示を言う。
【００３９】
チャンネル変更後のサービスに関する映像および音声の出力に切り替えることにより、ブランク期間をなくし、かつ、滑らかで違和感のない切り替えを行うことができることを特徴としている。なお、音声に関してはチャンネル変更を受け付け次第止めてもよい。なお、上述のように、サービスとはフレーム間補完されたデジタル放送において異なるチャンネルで放送される番組が表示されることである。よって、本実施の形態において、サービスに関する映像および音声とは、それぞれ映像ストリームＶＳおよび音声ストリームＡＳが対応する。
【００４０】
図３に示すフローチャートを参照して、チャンネル変更時のデジタル放送受信装置１によるダミー画像ＩＤの表示動作、おもに映像制御命令器１２によるデジタル放送受信装置１各構成要素の制御動作について説明する。なお、ダミー画像ＩＤの表示動作（映像制御命令器１２のチャンネル変更時の処理）は、ユーザによる選局操作を受け付ける時点で開始される。
【００４１】
そして、ステップＳ１において、チューナ制御器２によって該当するチャンネルに関するサービスを受信するための制御が行われる。このとき、映像バッファ９には、チャンネルを切り替える前の蓄積された映像ストリームＶＳ（切り替え前画像ＩＢ）が残されている。そして、制御は次のステップＳ２に進む。
【００４２】
ステップＳ２において、チャンネル変更後のサービスに関する映像（選局画像ＩＳ）の最初のＩピクチャが取得されたか否かが判断される。チャンネル変更後のサービス（選局画像ＩＳ）に関する最初のＩピクチャが取得されない場合は、Ｎｏと判断されて、制御はステップＳ３に進む。
【００４３】
ステップＳ３においては、チャンネル変更前に映像バッファ９に蓄積された映像ストリームＶＳ（切り替え前画像ＩＢ）が映像復号器８に入力される。そして、映像復号器８は、チャンネル変更前の映像ストリームＶＳ（切り替え前画像ＩＢ）から映像データを復号化し、映像出力制御器１０は復号化された映像データに画像処理を施して、映像信号Ｓｖを生成する。つまり、この映像信号Ｓｖによって、切り替え前画像ＩＢに基づいて生成されるダミー画像ＩＤが、チャンネル切り替え時に表示される。そして、制御はステップＳ２に戻る。
【００４４】
なお、必要に応じて、チャンネル変更前に受信した映像ストリームＶＳを前チャンネル映像ストリームＶＳ（Ｐ）と呼び、チャンネル変更後に受信した映像ストリームＶＳを現チャンネル映像ストリームＶＳ（Ｃ）と呼んで、それぞれを識別する。同様に、映像信号Ｓｖおよび音声信号Ｓａに関しても、前チャンネル映像信号Ｓｖ（Ｐ）、前チャンネル音声信号Ｓａ（Ｐ）、現チャンネル映像データＳｖ（Ｃ）、および現チャンネル音声データＳａ（Ｃ）と呼んで識別する。つまり、前チャンネル映像ストリームＶＳ（Ｐ）は切り替え前画像ＩＢに相当し、現チャンネル映像ストリームＶＳ（Ｃ）は選局画像ＩＳに相当する。現チャンネル映像データＳｖ（Ｃ）は、基本的に上述のダミー画像ＩＤに相当するが、その元となる画像については、上述の時刻Ｔ１における３つの状態のれぞれによって異なる。
【００４５】
ステップＳ２においてＹｅｓ、つまり現チャンネル映像ストリームＶＳ（Ｃ）の最初のＩピクチャが取得されたと判断される場合に、制御は次のステップＳ４に進む。
【００４６】
ステップＳ４において、現チャンネル映像ストリームＶＳ（Ｃ）が映像バッファ９に蓄積される。そして、制御は次のステップＳ５に進む。
【００４７】
ステップＳ５において、出力が可能となった時点で映像バッファ９に蓄積された現チャンネル映像ストリームＶＳ（Ｃ）が映像復号器８に出力されて、現チャンネル映像データＳｖ（Ｃ）が生成される。
【００４８】
なお、本実施の形態においては、第１の映像バッファ９ａには復号化前の前チャンネル映像ストリームＶＳ（Ｐ）および現チャンネル映像ストリームＶＳ（Ｃ）が蓄積され、第２の映像バッファ９ｂには映像復号器８および音声復号器１４によって復号化された前チャンネル映像信号Ｓｖ（Ｐ）および現チャンネル映像データＳｖ（Ｃ）が蓄積される。
【００４９】
また、図３を参照して、映像に関して説明したが、音声に関しても同様であることは言うまでもない。この場合、前チャンネル映像ストリームＶＳ（Ｐ）、現チャンネル映像ストリームＶＳ（Ｃ）、前チャンネル映像信号Ｓｖ（Ｐ）、および現チャンネル映像データＳｖ（Ｃ）は、それぞれ、前チャンネル音声ストリームＡＳ（Ｐ）、現チャンネル音声ストリームＡＳ（Ｃ）、前チャンネル音声信号Ｓａ（Ｐ）、および現チャンネル音声データＳａ（Ｃ）に置き換えられる。
【００５０】
以上のように、本発明の実施の形態においては、ユーザによる選局操作を行った際に発生するブランク期間を、選局前に視聴していたコンテンツ（切り替え前画像ＩＢ）をダミー画像ＩＤとして表示することで解消できる。また、ダミー画像ＩＤは、ユーザによる選局動作の前に視聴していたコンテンツ（切り替え前画像ＩＢ）であるので、従来の方法に比べて、ダミー画像ＩＤとユーザの選局動作の関係はより密接である。
【００５１】
つまり、ユーザは表示されるダミー画像ＩＤを見たときに、それが自身の選局指示に基づいて表示されていることを容易に認識できる。さらに、ダミー画像ＩＤは、選局指示に応じて毎回異なるので、ユーザはダミー画像ＩＤの表示が選局後の所望する画像（選局画像ＩＳ）の表示の為の準備中であると認識して、自身の誤操作や装置の故障などによる誤動作の不安から逃れることが出来る。
【００５２】
また、選局時の前に視聴、つまり受信あるは取得していたデータ（切り替え前画像ＩＢに対応）をダミー画像データ（ダミー画像ＩＤに対応）として用いるので、従来のように、特別にダミー画像データの提供、あるいは取得の為の負担を強いることもない。また、デジタル放送受信装置に、ダミー画像データとして特別に映像データを取得する機能を追加する必要もないため、コストを抑えることできる。
【００５３】
なお、上述のデジタル放送受信装置１において、とくにステップＳ３における、前チャンネル映像ストリームＶＳ（Ｐ）をダミー画像データとして出力する形態について、より具体的な方法を、第１の実施例、第２の実施例、および第３の実施例として以下に説明する。
【００５４】
（第１の実施例）
まず、図４、図５、および図６を参照して、本発明の第１の実施例に係る前チャンネル映像ストリームＶＳ（Ｐ）の出力形態について説明する。上述の切り替え前画像ＩＢである前チャンネル映像ストリームＶＳ（Ｐ）が映像出力制御器１０によって、画像処理されて、ダミー画像ＩＤである映像信号Ｓｖとして出力される。つまり、以下に、映像出力制御器１０による切り替え前画像ＩＢ（前チャンネル映像ストリームＶＳ（Ｐ））に対する処理の内容について説明する。
【００５５】
図４に、ユーザからのチャンネル変更受け付け時に映像バッファ９に残された前チャンネル映像ストリームＶＳ（Ｐ）をピクチャごとに時系列に例示する。つまり、同図において、ピクチャＰａ１、ピクチャＰａ２、ピクチャＰａ３、およびピクチャＰａ４の順番に新しい。なお、ピクチャＰａ１〜Ｐａ４を前チャンネルピクチャＰａと総称する。また、ピクチャＰａ１〜Ｐａ４は、基本的には時間の経過に対応して変化している異なる画像を表しているが、同じピクチャＰａ１であっても良い。なお、前チャンネルピクチャＰａは、上述の切り替え前画像ＩＢに相当する。
【００５６】
図５に、ユーザのチャンネル変更後に、最初に取得した現チャンネル映像ストリームＶＳ（Ｃ）のＩピクチャとそれに続くピクチャを時系列に例示している。同図において、ピクチャＰｂ１が最初のＩピクチャであり、ピクチャＰｂ２、ピクチャＰｂ３、ピクチャＰｂ４、ピクチャＰｂ５、ピクチャＰｂ６、ピクチャＰｂ７、およびピクチャＰｂ８が順番に続いている。ピクチャＰｂ１〜Ｐｂ８を現チャンネルピクチャＰｂと総称する。なお、現チャンネルピクチャＰｂは、上述の選局画像ＩＳに相当する。
【００５７】
図６に、本実施例におけるダミー画像ＩＤの一例を示す。同図において、ピクチャＰｃ１、ピクチャＰｃ２、ピクチャＰｃ３、ピクチャＰｃ４、ピクチャＰｃ５、ピクチャＰｃ６、ピクチャＰｃ７、および、ピクチャＰｃ８は、図４に示したピクチャＰａ１〜Ｐａ４に、例えば「切り替え中です」と言うメッセージをＯＳＤ  （Ｏｎ  Ｓｃｒｅｅｎ  Ｄｉｓｐｌａｙ）として合成して生成したピクチャを例示する。なお、ピクチャＰｃ１〜Ｐｃ８を、ダミーピクチャＰｃと総称する。つまり、ダミーピクチャＰｃは、映像出力制御器１０によって、前チャンネルピクチャＰａにメッセージが合成されて生成される。
【００５８】
本例では、８枚のダミーピクチャＰｃ（Ｐｃ１〜Ｐｃ８）が準備されている。しかしながら、ブランク期間は、チャンネル切り替え後に最初のＩピクチャを取得する迄であるので、映像ストリームＶＳの種類によって、その最大値は決まっている。よって、ダミーピクチャＰｃは、映像ストリームＶＳ毎の最大ブランク期間に相当する枚数だけ準備すれば十分である。つまり、ダミーピクチャＰｃが映像ストリームＶＳの最大ブランク期間に相当する枚数より少なく準備される場合は、同じダミーピクチャＰｃを繰り返して表示すればよい。
【００５９】
具体的には、この最大ブランク時間、つまり最初のＩピクチャを取得する迄に要する最大の時間は５秒である。これは、５秒に一回Ｉピクチャを挿入しなければならないと言う規約がＡＲＩＢ  ＴＲ−Ｂ１４に定義されているためである。よって、本発明においては、画像処理における最大の効果が５秒後（具体的には選局動作に要する時間に５秒を加えた時間）となるように調整するのが望ましい。
【００６０】
図３に示したフローチャートにおいて、ユーザによる選局操作を受け付けると、チューナ制御器２によって該当するチャンネルに関するサービスを受信するための制御を行う（ステップＳ１）。このとき、映像バッファ９には、チャンネルを切り替える前に蓄積された前チャンネル映像ストリームＶＳ（Ｐ）である前チャンネルピクチャＰａが蓄積されている。
【００６１】
次に、チャンネル変更後のサービスに関する現チャンネル映像ストリームＶＳ（Ｃ）の最初のＩピクチャを取得する（ステップＳ２）迄、切り替え前に映像バッファ９に蓄積された前チャンネルピクチャＰａが復号化されて出力される（ステップＳ３）。
【００６２】
つまり、本実施例においては、前チャンネルピクチャＰａをダミー画像ＩＤとして表示するかわりに、図６に例示したダミーピクチャＰｃを表示する。このように、チャンネル切り替え指示の前に視聴していた前チャンネルピクチャＰａに、チャンネル切り替え中を意味するメッセージが付加されたダミーピクチャＰｃが表示されることにより、現チャンネル映像ストリームＶＳ（Ｃ）のＩピクチャが取得される迄のブランク期間中であっても、ユーザにより切り替え指示による切り替え処理中であることが明確に示される。
【００６３】
なお、前チャンネルピクチャＰａに付加されるメッセージの内容は問わないし、ＯＳＤを利用せずに合成しても良い。また、最初のＩピクチャ（ピクチャＰｂ１）を取得する迄に、映像バッファ９に蓄積された前チャンネルピクチャＰａを出力し尽くしてしまった場合には、前チャンネルピクチャＰａの最終ピクチャ（ピクチャＰａ４）を利用して、最初のＩピクチャ（ピクチャＰｂ１）を取得する迄、ダミーピクチャＰｃのように表示し続ければよい。
【００６４】
最初のＩピクチャ（ピクチャＰｂ１）およびそれに続くピクチャ（ピクチャＰｂ２〜Ｐｂ８）を取得後に、必要であれば、映像バッファ９に蓄積（ステップＳ４）し、出力が可能となった時点で映像バッファ９に蓄積された現チャンネルピクチャＰｂを復号化して出力する（ステップＳ５）。なお、この間、音声に関しても切り替え前に音声バッファ１５に蓄積された前チャンネル音声ストリームＡＳ（Ｐ）を可能な限り出力してもよいし、停止しても良い。
【００６５】
以上のように、本実施例においては、上述の実施の形態における効果に加えて、映像出力制御器１０によってチャンネル切り替え指示の前に視聴していた前チャンネルピクチャＰａ（切り替え前画像ＩＢ）に、チャンネル切り替え中を意味するメッセージが付加されたダミーピクチャＰｃ（ダミー画像ＩＤ）が表示されることにより、ユーザにより切り替え指示による切り替え処理中であることが明確に示される。
【００６６】
なお、本発明の第２の実施例、第３の実施例、第４の実施例、および第５の実施例に係るデジタル放送受信装置１は、前チャンネル映像ストリームＶＳ（Ｐ）の出力形態、つまり映像出力制御器１０による画像処理の内容を除いて、上述の第１の実施例におけるデジタル放送受信装置１と同様である。よって、以下に、各実施例における前チャンネル映像ストリームＶＳ（Ｐ）の出力形態についてのみ説明する。
【００６７】
（第２の実施例）
図７に、本実施例におけるダミー画像ＩＤの一例を示す。同図において、ピクチャＰｄ１、ピクチャＰｄ２、ピクチャＰｄ３、ピクチャＰｄ４、ピクチャＰｄ５、ピクチャＰｄ６、ピクチャＰｄ７、および、ピクチャＰｄ８は、基本的には図４に示した前チャンネルピクチャＰａと同様の画像である。しかしながら、本実施例においては、ピクチャＰｄ１から順番に、徐々に画像の透過度を上げていき、最後のピクチャＰｄ８ではフェードアウトさせるような画像処理が映像出力制御器１０によって施されている。なお、ピクチャＰｄ１〜Ｐｄ８を、ダミーピクチャＰｄと総称する。
【００６８】
上述のように、映像ストリームＶＳの最大ブランク期間は決まってるが、選局（チャンネル切り替え）動作のタイミングによって、必要とされるダミーピクチャＰｄの枚数は異なる。そのために、次のＩピクチャが入力されるまで、ダミー画像ＩＤが表示できるように、切り替え前画像ＩＢに基づいてダミーピクチャＰｄが生成される。
【００６９】
以上のように、本実施例においては、上述の実施の形態および実施例における効果に加えて、チャンネル切り替え指示の前に視聴していた前チャンネルピクチャＰａ（切り替え前画像ＩＢ）を時間の経過とともに変化させて、ダミー画像ＩＤとして表示させることによって、ユーザによる切り替え指示に基づく切り替え処理中であることと共にその進行状況も明確に示される。
【００７０】
（第３の実施例）
図８に、本実施例におけるダミー画像ＩＤの一例を示す。同図において、ピクチャＰｅ１、ピクチャＰｅ２、ピクチャＰｅ３、ピクチャＰｅ４、ピクチャＰｅ５、ピクチャＰｅ６、ピクチャＰｅ７、および、ピクチャＰｅ８は、基本的には図４に示した前チャンネルピクチャＰａと同様の画像である。しかしながら、本実施例においては、ピクチャＰｅ１から順番に、徐々徐々に画面のサイズを縮小していき、ピクチャＰｅ８においては視認し難くなるような画像処理が映像出力制御器１０によって施されている。なお、ピクチャＰｅ１〜Ｐｅ８をダミーピクチャＰｅと総称する。
【００７１】
なお、このときの「徐々に」が示す具体的な効果（例えば、透過度や縮小率）については問わない。なお、本実施例においては、上述の実施の形態および実施例における効果に加えて、ダミー画像ＩＤが小さく成っていく程度によって、ユーザによる切り替え指示に基づくチャンネル切り替え処理が進行状況も明確に示される。
【００７２】
（第４の実施例）
図９に、本実施例におけるダミー画像ＩＤの一例を示す。同図において、ピクチャＰｆ１、ピクチャＰｆ２、ピクチャＰ３、ピクチャＰｆ４、ピクチャＰｆ５、ピクチャＰｆ６、ピクチャＰｆ７、および、ピクチャＰｆ８は、図４に示した現チャンネルピクチャＰｂと同様の画像であるが、但し前チャンネル映像ストリームＶＳ（Ｐ）から得られた前チャンネルピクチャに対して、徐々に画像の透過度を下げていき、フェードインさせるような画像処理が施されている。なお、ピクチャＰｆ１〜Ｐｆ８をダミーピクチャＰｆと総称する。
【００７３】
ダミーピクチャＰｆの枚数は、映像ストリームＶＳの種類毎に定まっている最大ブランク期間を考慮して適正に決められることは上述の通りである。
【００７４】
なお、本実施例においては、上述の実施の形態および実施例における効果に加えて、ダミー画像ＩＤが徐々に明確に表示されてして（フェードイン）程度によって、ユーザによる切り替え指示に基づく切り替え処理の進行状況も明確に示される。
【００７５】
（第５の実施例）
図１０に、本実施例におけるダミー画像ＩＤの一例を示す。同図において、ピクチャＰｇ１、ピクチャＰｇ２、ピクチャＰｇ３、ピクチャＰｇ４、ピクチャＰｇ５、ピクチャＰｇ６、ピクチャＰｇ７、および、ピクチャＰｇ８は、図５に示した現チャンネルピクチャＰｂに対して、徐々に画像を拡大するような画像処理が施されている。なお、ピクチャＰｇ１〜Ｐｇ８をダミーピクチャＰｇと総称する。
【００７６】
なお、「徐々に」が示す具体的な効果（例えば、透過度や拡大率）については問わないが、チャンネル変更前に「徐々に」画像処理を施した効果（例えば、透過度を１０％ずつ上げていき、６０％の段階で完了した場合、逆に６０％の段階から１０％ずつ下げていく）と同じでも構わないし、瞬時に復帰するため、効果を速める（例えば、透過度を１０％ずつ上げていき、６０％の段階で完了した場合、今度は６０％の段階から２０％ずつ下げていく）のもよい。
【産業上の利用可能性】
【００７７】
本発明は、フレーム間補完されたデジタルストリームより画像を再生するデジタル放送受信装置および同デジタルストリームに対する画像処理が可能なカメラ機能を有するＡＶモバイル端末等に利用できる。
【図面の簡単な説明】
【００７８】
【図１】本発明の実施の形態に係るデジタル放送受信装置の構成を示すブロック図
【図２】図１に示したデジタル放送受信装置におけるチャンネル切り替え時の処理を表すタイミングチャート
【図３】図１に示したデジタル放送受信装置の映像制御命令器による動作を表すフローチャート
【図４】チャンネル変更時に、図１に示した映像バッファに蓄積される映像ストリームを表す説明図
【図５】チャンネル変更後に、図１に示した映像待機バッファに蓄積される映像ストリームを表す説明図
【図６】本発明の第１の実施例において、チャンネル変更中に表示されるダミー画像の一例を示す説明図
【図７】本発明の第２の実施例において、チャンネル変更中に表示されるダミー画像の一例を示す説明図
【図８】本発明の第３の実施例において、チャンネル変更中に表示されるダミー画像の一例を示す説明図
【図９】本発明の第４の実施例において、チャンネル変更中に表示されるダミー画像の一例を示す説明図
【図１０】本発明の第５の実施例において、チャンネル変更中に表示されるダミー画像の一例を示す説明図
【符号の説明】
【００７９】
１  デジタル放送受信装置
２  チューナ制御器
３  デジタル放送受信器
４  信号復調器
５  デジタルチューナ器
６  デマルチプレクサ器
７  映像ストリーム解析器
８  映像復号器
９  映像バッファ
１０  映像出力制御器
１１  映像制御器
１２  映像制御命令器
１３  音声ストリーム解析器
１４  音声復号器
１５  音声バッファ
１６  音声出力制御器
１７  音声制御器
１８  音声制御命令器
【図１】
2006148825.tif 000003
【図２】
2006148825.tif 000004
【図３】
2006148825.tif 000005
【図４】
2006148825.tif 000006
【図５】
2006148825.tif 000007
【図６】
2006148825.tif 000008
【図７】
2006148825.tif 000009
【図８】
2006148825.tif 000010
【図９】
2006148825.tif 000011
【図１０】
2006148825.tif 000012